(57)【要約】      （修正有）【課題】ゴミ箱に向けて投げ込まれたゴミを効果的に捕集することができるゴミ箱補助具を提供する。【解決手段】上部に開口部を有する有底筒状のゴミ箱Ｚに設置されるゴミ箱補助具１であって、前記開口部の上方に配置されるシート状の捕集部２と、前記開口部の周縁に前記捕集部を固定する係着手段３とを備えており、前記捕集部は、前記開口部から上方に向かうに従い前記ゴミ箱の鉛直軸から離隔するように傾斜して配置可能に構成されることを特徴とする。【選択図】図２
0003204256.tif 000002
【実用新案登録請求の範囲】
【請求項１】
上部に開口部を有する有底筒状のゴミ箱に設置されるゴミ箱補助具であって、
前記開口部の上方に配置されるシート状の捕集部と、
前記開口部の周縁に前記捕集部を固定する係着手段とを備えており、
前記捕集部は、前記開口部から上方に向かうに従い前記ゴミ箱の鉛直軸から離隔するように傾斜して配置可能に構成されることを特徴とするゴミ箱補助具。
【請求項２】
前記係着手段は、前記捕集部の下部において所定間隔を空けて設けられ、前記開口部の周縁を挟んで固定する複数のクリップ部材を備えていることを特徴とする請求項１に記載のゴミ箱補助具。
【請求項３】
前記係着手段は、前記シート状の捕集部上において所定間隔を空けて配置される複数の棒状部材と、前記各棒状部材に固定され前記開口部の周縁を挟んで固定するクリップ部材とを備えることを特徴とする請求項１に記載のゴミ箱補助具。
【請求項４】
前記各棒状部材は、前記捕集部から突出する突出棒状部を備えており、前記クリップ部は、前記各突出棒状部に設けられていることを特徴とする請求項３に記載のゴミ箱補助具。
【請求項５】
前記係着手段は、前記シート状の捕集部上において所定間隔を空けて配置される複数の棒状部材を備えており、
前記各棒状部材は、前記捕集部から突出する突出棒状部を備え、
前記突出棒状部は、前記開口部の周縁を挟持可能な二又状部を有することを特徴とする請求項１に記載のゴミ箱補助具。
【請求項６】
前記各棒状部材は、前記シート状の捕集部上に配置される部分と前記突出棒状部との境界部において屈曲部を備えており、
前記各屈曲部が、前記ゴミ箱の開口部近傍に配置されると共に、前記各突出棒状部の少なくとも一部が、前記ゴミ箱の前記開口部よりも下方において前記ゴミ箱の周壁部に沿って配置可能であることを特徴とする請求項４又は５に記載のゴミ箱補助具。
【請求項７】
前記シート状の捕集部は、可撓性のシート材であることを特徴とする請求項１〜６のいずれかに記載のゴミ箱補助具。
【請求項８】
前記捕集部の中央部には、前記捕集部の中心を示すマークが形成されていることを特徴とする請求項１〜７のいずれかに記載のゴミ箱補助具。
【請求項９】
前記マークは、射的用標的の図柄、或いは、キャッチャーミットを構えた野球選手の図柄であることを特徴とする請求項１〜８のいずれかに記載のゴミ箱補助具。
【考案の詳細な説明】
【技術分野】
【０００１】
本考案は、ゴミ箱補助具に関する。特に、ゴミ箱に簡単に取り付けることができ、投げ込まれたゴミを効果的に捕集することができるゴミ箱補助具に関する。
【背景技術】
【０００２】
従来から、家庭や職場などでゴミ箱が少し離れた場所にある場合、紙ゴミなどを投げ入れて捨てる場合があった。このような場合、ゴミ箱から紙ゴミが外れる場合も多く、結局ゴミを拾いに行ってゴミ箱の近くで改めてゴミを投入するということがあった。このような状況に鑑み、図５に示すようなゴミをゴミ箱に入れやすくするようなボードが提案されている（特許文献１）。
【０００３】
この図５に示されるボードは、ゴミ箱に向けて投げ込まれたゴミを受ける機能を有するというものであり、ゴミ箱の上方において垂直に配置されるものである。
【先行技術文献】
【特許文献】
【０００４】
【特許文献１】実用新案登録第３０８４２５８号公報
【考案の概要】
【考案が解決しようとする課題】
【０００５】
上述のゴミをゴミ箱に入れやすくするボードは、投げ込まれたゴミが、ゴミ箱の上部開口部から外れた場合であっても、ボードにゴミが当たった場合には、ゴミ箱内にゴミを捕集できるというものであり、一定の効果を奏するものであると認められる。しかしながら、ボードにゴミが当たった場合であっても、必ずしもゴミがゴミ箱内に落下するというものでは無く、ボードによって跳ね返ったゴミが、ゴミ箱の外に落下するといいうことが頻繁に発生するという問題があった。
【０００６】
本考案は、このような問題を解決すべくなされたものであって、ゴミ箱に向けて投げ込まれたゴミを効果的に捕集することができるゴミ箱補助具を提供することを目的とする。
【課題を解決するための手段】
【０００７】
本考案の上記目的は、上部に開口部を有する有底筒状のゴミ箱に設置されるゴミ箱補助具であって、前記開口部の上方に配置されるシート状の捕集部と、前記開口部の周縁に前記捕集部を固定する係着手段とを備えており、前記捕集部は、前記開口部から上方に向かうに従い前記ゴミ箱の鉛直軸から離隔するように傾斜して配置可能に構成されることを特徴とするゴミ箱補助具により達成される。
【０００８】
このような構成によれば、ゴミ箱に向けてゴミを比較的強く投げ込んだ場合であっても、捕集部に当ったゴミは、当該捕集部によって斜め上方に向けて跳ね返されるため、ゴミ箱の外に落下することを防止して、ゴミ箱内にゴミを効果的に落下させることが可能となる。
【０００９】
また、上記ゴミ箱補助具においては、前記係着手段は、前記捕集部の下部において所定間隔を空けて設けられ、前記開口部の周縁を挟んで固定する複数のクリップ部材を備えるように構成することができる。
【００１０】
このようなクリップ部材を係着手段として用いる場合、ゴミ箱へのゴミ箱補助具の脱着を簡便に行うことができる。
【００１１】
また、前記係着手段は、前記シート状の捕集部上において所定間隔を空けて配置される棒状部材と、前記棒状部材に固定され前記開口部の周縁を挟んで固定するクリップ部材とを備えるように構成することができる。また、各棒状部材は、前記捕集部から突出する突出棒状部を備えるように構成し、クリップ部を各突出棒状部に設けるように構成してもよい。
【００１２】
このようにシート状の捕集部上において所定間隔を空けて配置される棒状部材を備えることにより、シート状の捕集部の強度を高めることができる。また、捕集部から突出する突出棒状部を備えることにより、当該突出棒状部の少なくとも一部をゴミ箱の周壁外面に当接させて、或いは、周壁内面に当接させることが可能となり、ゴミ箱に設置されたゴミ箱補助具の安定性を高めることが可能となる。
【００１３】
また、前記係着手段は、前記シート状の捕集部上において所定間隔を空けて配置される複数の棒状部材を備えており、前記各棒状部材は、前記捕集部から突出する突出棒状部を備え、前記突出棒状部は、前記開口部の周縁を挟持可能な二又状部を有するように構成してもよい。
【００１４】
このような二又状部を備えることにより、二又状部をゴミ箱の開口部周縁に差し込むという簡便な動作によって、ゴミ箱補助部をゴミ箱に設置することが可能となり、使用者の利便性を高めることが可能となる。
【００１５】
また、前記各棒状部材は、前記シート状の捕集部上に配置される部分と前記突出棒状部との境界部において屈曲部を備えており、前記各屈曲部が、前記ゴミ箱の開口部近傍に配置されると共に、前記各突出棒状部の少なくとも一部が、前記ゴミ箱の前記開口部よりも下方において前記ゴミ箱の周壁部に沿って配置可能となるように構成してもよい。
【００１６】
このような屈曲部を有することにより、突出棒状部の少なくとも一部分がゴミ箱の周壁外面に沿うようにして配置されることから、ゴミ箱に設置されたゴミ箱補助具の安定性をより一層高めることが可能となる。
【００１７】
また、前記シート状の捕集部は、可撓性のシート材により構成することができる。
【００１８】
このように、捕集部を可撓性のシート材により構成することにより、捕集部に当ったゴミの威力（投げ入れの際のスピード）を効果的に吸収することが可能となり、捕集部に当ったゴミが大きく跳ね返ってゴミ箱の外に落下することを極めて効果的に防止することができる。
【００１９】
また、前記捕集部の中央部には、前記捕集部の中心を示すマークが形成されるように構成することができる。また、前記マークは、射的用標的の図柄、或いは、キャッチャーミットを構えた野球選手の図柄として構成することができる。
【００２０】
このようなマークを捕集部の中央部に形成する場合、ゴミを投げ入れる者にとってゴミを投げ入れる位置が認識しやすくなり、ゴミ箱にゴミが入る確率を効果的に向上させることができる。また、ゴミを投げ入れる行為にレクリエーション性を付加することが可能となるため、ゴミ箱へのゴミ入れが遊びの一つとなり、例えば、小さい子供が積極的にゴミの片づけを行うための動機づけを与えることも可能となる。
【考案の効果】
【００２１】
本考案によれば、ゴミ箱に向けて投げ込まれたゴミを効果的に捕集することができるゴミ箱補助具を提供することができる。
【図面の簡単な説明】
【００２２】
【図１】本考案に係るゴミ箱補助具をゴミ箱に設置した状態を示す概略構成斜視図である。
【図２】本考案に係るゴミ箱補助具をゴミ箱に設置した状態における概略構成断面図である。
【図３】本考案に係るゴミ箱補助具の概略構成平面図である。
【図４】本考案に係るゴミ箱補助具が備える棒状部材の概略構成図である。
【図５】従来のゴミをゴミ箱に入れやすくするボードをゴミ箱に設置した際の概略構成斜視図である。
【考案を実施するための形態】
【００２３】
以下、本考案に係るゴミ箱Ｚ補助具について、添付図面を参照して説明する。なお、各図は、構成の理解を容易ならしめるために部分的に拡大・縮小している。図１は、本考案に係るゴミ箱補助具１をゴミ箱Ｚに設置した状態を示す概略構成斜視図であり、図２は、ゴミ箱補助具１をゴミ箱Ｚに設置した状態における概略構成断面図である。また、図３は、ゴミ箱Ｚから取り外したゴミ箱補助具１の概略構成平面図である。このゴミ箱補助具１は、図１や図２に示すように、上部に開口部を有する有底筒状のゴミ箱Ｚに設置されるゴミ箱補助具１であり、例えば、家庭や職場などにおいて、少し離れた場所にあるゴミ箱Ｚに向けて投げ込まれた紙ゴミ等のゴミを受けることにより効果的にゴミ箱Ｚ内に落下させるものである。当該ゴミ箱補助具１は、その下方側が、ゴミ箱Ｚの上部開口部における周縁の約半周に亘って、当該周縁に沿うようにして配置されており、ゴミ箱Ｚの開口部の上方に配置されるシート状の捕集部２と、開口部の周縁に当該捕集部２を固定する係着手段３とを備えている。
【００２４】
シート状の捕集部２は、投げ込まれたゴミを受ける部材であり、本実施形態においては、図３の平面図に示すように扇状の形態として形成されている。この捕集部２は、可撓性を有する素材から形成されることが好ましい。例えば、アクリル、ポリエステル、塩化ビニール等の化学系樹脂から形成される布状のシート材や、アルミシート等の可撓性を有する金属シート、麻や木綿等からなる布状シート材から形成することが好ましい。また、厚紙や段ボール等からも捕集部２を形成してもよい。また、捕集部２の形態については、図３に示すような扇形に特に限定されるものでは無く、多種多様な形状を採用することができる。
【００２５】
係着手段３は、上記のように、ゴミ箱Ｚの開口部に捕集部２を固定するための手段であり、種々の係着部材を採用することが可能である。本実施形態においては、図２や図３に示すように、シート状の捕集部２上において所定間隔を空けて配置固定される複数の棒状部材４を備え、当該各棒状部材４部材において捕集部２から突出する突出棒状部５が二又状部６を備えるように形成し、該二又状部６にてゴミ箱Ｚの上部開口部の周縁を挟持できるように構成している。なお、突出棒状部５は、ゴミ箱補助具１をゴミ箱Ｚに設置する際に下方側となる捕集部２の側縁から突出する棒状部材４の一部をいう。なお、棒状部材４の材質は特に限定されず、種々の材料を用いて棒状部材４を形成することができる。
【００２６】
また、各棒状部材４は、図２や図４の概略構成図に示すように、シート状の捕集部２上に配置される部分と突出棒状部５との境界部において屈曲部７を備えている。この屈曲部７は、捕集部２上に配置される棒状部材４の部分における長手方向の軸線と、突出棒状部５における長手方向の軸線とを含む仮想面が、捕集部２の表面に対して垂直となるように形成されている。また、当該屈曲部７の近傍において突出棒状部５が二又状に形成されている。このような構成により、二又状部６をゴミ箱Ｚの開口部の周縁に差し込んで該周縁を挟持した場合に、各屈曲部７が、ゴミ箱Ｚの開口部近傍に配置されると共に、各突出棒状部５の少なくとも一部が、ゴミ箱Ｚの開口部よりも下方においてゴミ箱Ｚの周壁部に沿って配置されるようになる。また、この捕集部２は、図２の断面図に示すように、ゴミ箱Ｚの上方に配置された場合に、ゴミ箱Ｚの開口部から上方に向かうに従いゴミ箱Ｚの鉛直軸から離隔するように傾斜して配置可能に構成されることになる。捕集部２の傾斜角度θは、水平線に対して４５°〜７５°に設定することが好ましく、６０°近傍の傾斜角とすることがより好ましい。
【００２７】
上述のようなゴミ箱補助具１によれば、図２に示すように、ゴミ箱Ｚの開口部から上方に向かうに従いゴミ箱Ｚの鉛直軸から離隔するように傾斜してシート状の捕集部２が配設されるため、ゴミ箱Ｚに向けてゴミを比較的強く投げ込んだ場合であっても、捕集部２に当ったゴミは、当該捕集部２によって斜め上方に向けて跳ね返されるため、ゴミ箱Ｚの外に落下することを防止して、ゴミ箱Ｚ内にゴミを効果的に落下させることが可能となる。
【００２８】
また、捕集部２は、布状のシート材といった可撓性のある柔らかい素材から形成した場合、捕集部２に当ったゴミの威力（投げ入れの際のスピード）を効果的に吸収することが可能となり、捕集部２に当ったゴミが大きく跳ね返ってゴミ箱Ｚの外に落下することを極めて効果的に防止することができる。
【００２９】
また、図２や図４に示すように、棒状部材４における突出棒状部５に、開口部の周縁を挟持可能な二又状部６を形成するように構成しているため、当該ゴミ箱補助具１を低コストで製造することが可能となり、また、ゴミ箱Ｚの開口部周縁に二又状部６を差し込むという簡便な動作により、ゴミ箱Ｚ補助部をゴミ箱Ｚに取り付けることが可能となる。
【００３０】
また、捕集部２の中央部には、捕集部２の中心を示すマークが形成されるように構成してもよい。このようなマークとしては、種々の図柄を採用することができるが、例えば、射的用標的の図柄や、キャッチャーミットを構えた野球選手の図柄などを採用することができる。このようなマークを捕集部２の中央部に形成する場合、ゴミを投げ入れる者にとってゴミを投げ入れる位置が認識しやすくなり、ゴミ箱Ｚにゴミが入る確率を効果的に向上させることができる。また、ゴミを投げ入れる行為にレクリエーション性を付加することが可能となるため、ゴミ箱Ｚへのゴミ入れが遊びの一つとなり、例えば、小さい子供が積極的にゴミの片づけを行うための動機づけを与えることも可能となる。
【００３１】
以上、本考案に係るゴミ箱補助具１について説明したが、具体的構成は、上記実施形態に限定されない。例えば、上記実施形態において、二又状部６を屈曲部７近傍に形成するように構成しているが、例えば、突出棒状部５の下端側に二又状部６を設けるように構成してもよい。また、突出棒状部５の下端側から所定長さ分だけ当該突出棒状部５を半分に割くことにより二又状部６を形成してもよい。
【００３２】
また、上記実施形態においては、突出棒状部５が二又状部６を備えるようにして構成しているが、このような二又状部６を備える代わりに、単一の突出棒状部５を備え、この突出棒状部５にクリップ部材を設置するようにしてもよい。クリップ部材としては、シート状の捕集部２をゴミ箱Ｚの開口部に設置固定できるものであればどのような形態のものであってもよい。また、クリップ部材の他に、面ファスナーや磁石、吸盤等を突出棒状部５に設けてもよい。
【００３３】
また、上記実施形態においては、各棒状部材４において、捕集部２から突き出る突出棒状部５や屈曲部７を備えるように構成しているが、このような構成に特に限定されず、突出棒状部５や屈曲部７を備えないように棒状部材４を構成することもできる。このような構成の場合、シート状の捕集部２上に配置される棒状部材４の端部（ゴミ箱補助具１をゴミ箱Ｚに設置する際に下方側となる端部）にクリップ部材を取り付ければよい。
【００３４】
また、厚紙や段ボールといった比較的剛性のある材料からシート状の捕集部２を形成する場合には、捕集部２上に配置固定される棒状部材４を省略することもできる。このような場合には、シート状の捕集部２の下端部（ゴミ箱補助具１をゴミ箱Ｚに設置する際に下方側となる端部）にクリップ部材等の係着部材を取り付ければよい。
【００３５】
また、上記実施形態においては、棒状部材４が予め屈曲部７を備えるようにして構成しているが、このような構成に特に限定されず、例えば、真っ直ぐな針金のような可撓性を有する直線状材料により各棒状部材４を構成するとともに、突出棒状部５にクリップ部材等の係着部材を配置し、本ゴミ箱補助具１を使用する人が、ゴミ箱Ｚの所定位置にゴミ箱補助具１を設置固定した後、各棒状部材４を変形させて、シート状の捕集部２がゴミ箱Ｚの開口部から上方に向かうに従いゴミ箱Ｚの鉛直軸から離隔するように構成してもよい。
【符号の説明】
【００３６】
１  ゴミ箱補助具
２  捕集部
３  係着手段
４  棒状部材
５  突出棒状部
６  二又状部
７  屈曲部
Ｚ  ゴミ箱
【図１】
0003204256.tif 000003
【図２】
0003204256.tif 000004
【図３】
0003204256.tif 000005
【図４】
0003204256.tif 000006
【図５】
0003204256.tif 000007